(57)【要約】【課題】本体ケースと蓋ケースから成って、本体ケースのベース面中央部に係合凸部を突出して設け、該係合凸部には円盤状記録媒体の中央穴が嵌って取付けられる収納ケースであって、蓋ケースが内側へ撓み変形しても係合凸部を押圧して円盤状記録媒体が外れないようにした収納ケースの提供。【解決手段】蓋ケース２の中央部には該蓋ケース２を閉じた際に係合凸部１２を中心とした円盤状記録媒体１３の中央穴外周部付近に押え部１０を配置し、該押え部１０は上蓋８から延びるアーム先端に形成され、アーム基部には一方のシート押え片１１を設けると共に蓋ケース面には別のシート押え片１１を形成し、さらに上蓋８は蓋ケース２の上端に取付けると共に底部側へ移動することが出来る。【選択図】        図１
2005001715.tif 000002
【特許請求の範囲】
【請求項１】
本体ケースと蓋ケースから成って、本体ケースのベース面中央部に係合凸部を突出して設け、該係合凸部には円盤状記録媒体の中央穴が嵌って取付けられる収納ケースにおいて、上記蓋ケースの中央部には該蓋ケースを閉じた際に係合凸部を中心とした円盤状記録媒体の中央穴外周部付近に押え部を配置し、該押え部は上蓋から延びるアーム先端に形成され、アーム基部には一方のシート押え片を設けると共に蓋ケース面には別のシート押え片を形成し、さらに上蓋は蓋ケースの上端に取付けると共に底部側へ移動して取付け可能としたことを特徴とする円盤状記録媒体の収納ケース。
【請求項２】
上記蓋ケースの側縁にガイドを設け、上蓋をガイドに沿って底部へ移動可能とし、縁に形成した係止溝に上蓋側部のツメを係止して位置決めした請求項１記載の円盤状記録媒体の収納ケース。
【請求項３】
上記蓋ケースの上端と底部に上蓋を着脱可能に取付けた請求項１記載の円盤状記録媒体の収納ケース。
【請求項４】
アームを上蓋の側部に設けた継手を介して屈曲可能に取付けた請求項１、請求項２、又は請求項３記載の円盤状記録媒体の収納ケース。
【請求項５】
アームを上蓋の側部に設けた嵌合溝に着脱可能に取付けた請求項１、請求項２、又は請求項３記載の円盤状記録媒体の収納ケース。
【発明の詳細な説明】
【０００１】
【発明の属する技術分野】
本発明はＣＤ，ＤＶＤ等の円盤状記録媒体を収納するケースであって、該収納ケースが外圧によって変形した場合であっても、ヘソ（係合凸部）から円盤状記録媒体が外れないように工夫した収納ケースに関するものである。
【０００２】
【従来の技術】
ＣＤやＤＶＤ等の円盤状記録媒体は、本体ケース（イ）と蓋ケース（ロ）から成る薄型の収納ケースに入れられている。図８は従来の収納ケースで、蓋ケースを開いた状態を示し、この本体ケース（イ）に円盤状記録媒体（ハ）が取付けられている。本体ケース（イ）の中央部にはベース面（ニ）から突出する係合凸部（ホ）が設けられ、この係合凸部（ホ）を円盤状記録媒体（ハ）の中央穴に嵌合することで、該円盤状記録媒体（ハ）が取付けられ、この状態で蓋ケース（ロ）が閉じられる。
【０００３】
図９は蓋ケース（ロ）を閉じた状態の断面を示している。ところで、円盤状記録媒体（ハ）はその中央穴に係合凸部（ホ）が嵌合して取付けられる形態となっていて、取付ける際には円盤状記録媒体（ハ）の中央穴を係合凸部（ホ）に位置合わせて上方から押圧する。逆に取外す場合には係合凸部上面を押圧することで下方に撓み変形して中央穴から分離することが出来る。
【０００４】
本体ケース（イ）のベース面（ニ）から突出して設けられている該係合凸部構造（係合凸部形態）も色々工夫され、円盤状記録媒体（ハ）が取付け易く、又取外し易いようになっているが、このことは逆に何時でも外れ易いことにもなる。すなわち、本体ケース（イ）又は蓋ケース（ロ）が変形して円盤状記録媒体（ハ）が係合凸部（ホ）から独りでに外れてしまうといった事態が発生する。前記図８、図９に示すように本体ケース（イ）のベース面中央部には、係合凸部（ホ）を有すと共に該係合凸部（ホ）の周囲には載置部（ヘ）を設けている。  円盤状記録媒体（ハ）はこの載置部（ヘ）に載って中央穴が係合凸部（ホ）に嵌合している。そして、外周は外周縁（ト）に載って支持されている。
【０００５】
そこで、図１０に示すごとく、蓋ケース（ロ）の上方から押圧力が作用して撓み変形する場合、該蓋ケース（ロ）は係合凸部（ホ）の上面に当って押圧することになる。その結果、係合凸部（ホ）が収縮して円盤状記録媒体（ハ）の中央穴から外れてしまう。すなわち、円盤状記録媒体（ハ）を係合凸部（ホ）から取外す際と同じような現象と成る。一旦外れると中央穴が係合凸部（ホ）に嵌合することはなく、円盤状記録媒体（ハ）は収納ケース内でガタ付き、表面にはキズが発生し、結果的に円盤状記録媒体（ハ）としての機能を失い、記録、再生が出来ないことになる。
【０００６】
【発明が解決しようとする課題】
このように、従来の収納ケースは上記のごとき問題がある。本発明が解決しようとする課題はこの問題点であって、蓋ケースが内側へ撓み変形しても係合凸部を押圧して円盤状記録媒体が独りでに外れることがないようにした円盤状記録媒体の収納ケースを提供する。そして、本発明の収納ケースは販売用としてもレンタル用としても用いることが可能なケースである。
【０００７】
【課題を解決する為の手段】
本発明の収納ケースは蓋ケースを押圧して内側へ撓み変形させても、円盤状記録媒体の中央穴に嵌っている係合凸部上面を押圧しない構造となっている。そこで、蓋ケースを閉じた際には円盤状記録媒体の中央穴周辺を押える為の押え部を設け、円盤状記録媒体が係合凸部から外れることはない。この押え部は収納ケースの上蓋から延びるアーム先端に形成され、該アームは押え部が円盤状記録媒体に当ることで多少撓み変形するように構成することも出来る。
【０００８】
このように、上蓋から延びるアーム先端には押え部を設け、該上蓋はレンタル用収納ケースとして利用する際には、上端から底部側へ移動することが出来る。ここで、上蓋の移動手段は限定せず、例えば蓋ケースの側縁に沿って底部側へ移動する場合、又は上端から取外して底部に取付ける構造とする場合などがある。
【０００９】
そして、アームの基部にはチャプターシート等の押え片が設けられ、アームは上蓋から取外したり、又は上蓋に対して屈曲可能に取付けられている。蓋ケースの底部には別の押え片が設けられ、両押え片に挟まれてチャプターシートが蓋ケースのベース面に保持される。以下、本発明に係る実施例を図面に基づいて詳細に説明する。
【００１０】
【実施例】
図１は本発明に係る円盤状記録媒体の収納ケースの実施例であり、同図の１は本体ケース、２は蓋ケースを示している。蓋ケース２は繋ぎ部３を介して開閉可能となっている。本体ケース１のベース面４の中央部には受け台座を設け、該受け台座はベース面４から僅かに突出し、そして受け台座には円盤状記録媒体が載置され、受け台座から起立する係合凸部１２には円盤状記録媒体１３の中央穴が嵌って取付けられている。ここで、受け台座及び係合凸部１２の形態は特に限定しない。
【００１１】
本体ケース１には縁５，５がベース面４の外側及び底に起立し、同じく蓋ケース２のベース面７の内外側及び底にも縁６，６・・が起立している。又、蓋ケース２の上端には上蓋８が取付けられ、該上蓋８は両縁６，６に沿って形成しているガイド溝に沿って底部へ移動することが出来る構造と成っている。上蓋８の側部１７，１７には外表面に突出したツメ２３，２３・・が設けられ、該ツメ２３，２３は縁６，６に形成した係止溝に係止して位置決めされる。該係止溝は蓋ケース２の底部が輪にも設けられている為に、該底部での上蓋８の位置決めも行なわれる。
【００１２】
そして、該上蓋８にはアーム９を設け、該アーム先端にはリング状の押え部１０を形成している。又アーム９の基部にはシート押え片１１ａを設け、蓋ケース２の底部にはシート押え片１１ｂを有している。この両シート押え片１１ａ，１１ｂにチャプターシート１４を挟んで止着し、そして蓋ケース２を閉じるならば、押え部１０は係合凸部１２に嵌って取付けられている円盤状記録媒体１３の中央部に当接又は近接して配置される。
【００１３】
図２は収納ケースの蓋ケース２が閉じられた場合の断面図であり、円盤状記録媒体１３は係合凸部１２に嵌って取付けられ、リング状を成した押え部１０は係合凸部１２の周囲に位置して円盤状記録媒体１３の中央部に接している。押え部１０はアーム９にて、蓋ケース２が閉じた際に円盤状記録媒体１３の中央部に位置するように成っている。そして、アーム９の基部に形成しているシート押え片１１にはチャプターシート１４が挟まっている。同図に示すように、シート押え片１１は先端部を湾曲して、チャプターシート１４を挟み易くしている。
【００１４】
図３は同じく蓋ケース２を閉じた場合の断面図であり、蓋ケース２の上方から外圧Ｐが作用するならば該蓋ケース２は内側へ湾曲する。円盤状記録媒体１３の中央部には押え部１０が配置され、蓋ケース２は押え部１０に当り、該押え部１０を押圧する。すなわち、円盤状記録媒体１３が取付けられる係合凸部１２の上端に当って押圧されることはなく、その為に、円盤状記録媒体１３が係合凸部１２から外れることはない。押え部１０は円盤状記録媒体１３の中央部を押圧する為に、該係合凸部１２は拡張して円盤状記録媒体１３の中央穴を締付けるように働く。
【００１５】
前記図１は販売時の収納ケースの形態であるが、本発明の収納ケースはレンタル用としてその形態を変えることが出来る。図４はその形態を示し、上蓋８は同図のように底部へ移動している。縁６，６にはガイド溝１５，１５（図２参照）が沿設され、上蓋８の両側に形成しているガイド片１６，１６はガイド溝１５，１５に嵌ってスライドすることが出来る。
【００１６】
そして、上蓋８が底部へ移動しても押え部１０が底縁６に当らないように、アーム９を屈曲することが出来る。すなわち、アーム９は上蓋８に継手を介して屈曲可能に取付けられている。又、底部へ移動した上蓋８の位置を調整する為に、上蓋８の側部１７，１７にはツメ２３，２３・・が設けられ、該ツメ２３，２３・・は蓋ケース２の縁６，６に形成している係止溝２４，２４・・に係止して位置決めされる。
【００１７】
図５（ａ）、（ｂ）は押え部１０を備えた上蓋８を示している。押え部１０はアーム先端に形成され、該アーム９は側部１７に設けている継手１８を介して屈曲することが出来、側部先端に設けている係止片１９にアーム基部に形成しているツメ２０が係合可能と成る。（ａ）はツメ２０が係止片１９に係合して押え部１０が所定の位置に配置され、蓋ケース２を閉じることで円盤状記録媒体１３の中央部に接することが出来、（ｂ）ではレンタル用として上蓋８を蓋ケース２の底部へ移動する場合の状態である。そして、側部１７，１７の外側面にはツメ２３，２３・・を突出して設け、又ガイド片１６，１６を有している。
【００１８】
図６は上蓋の別形態を示している。この上蓋８は押え部１０を取外し出来る構造としている。アーム９の基部には取付け板２１が設けられ、該取付け板２１は上蓋８の側部１７に形成しているガイド片２２ａ，２２ｂ，２２ｃにて形成される溝に嵌合する。そして図７は押え部１０を取外した上蓋８を蓋ケース８の底部へ移動してレンタル用収納ケースとした場合である。
【００１９】
底部では、側部１７，１７に設けているツメ２３，２３・・が縁６，６に形成している係止溝２４，２４・・に係止して位置決めされる。そして、蓋ケース２が閉じるならば、繋ぎ部３に設けているツメ２５，２５が上蓋側部のツメ２３，２３と係止して安定した位置決めが行なわれる。該ツメ２５，２５は繋ぎ部３の上端部にも形成され、上端に位置する上蓋８を安定して位置決めすることが出来る。
【００２０】
以上述べたように、本発明の収納ケースは上蓋からアームを延ばすと共にアーム先端には押え部を形成し、又アームの基部にはシート押え片を設けたものであり、次のような効果を得ることが出来る。
【００２１】
【発明の効果】
本発明の収納ケースには押え部を設け、蓋ケースを閉じた際には円盤状記録媒体の中央部に配置される。従って、蓋ケースに外力が作用して内側へ撓んでも押え部に当って係合凸部を押えることはなく、該係合凸部に嵌っている円盤状記録媒体が外れることはない。
【００２２】
そして、押え部は上蓋から延びるアーム先端に形成され、該上蓋は蓋ケースの上端から底部へ移動することが出来、販売用収納ケースとしてだけでなく、レンタル用の収納ケースとして使用することが出来る。レンタル用として使用する場合、上蓋が底部へ移動しても押え部が底縁に当らないようにアームを屈曲したり取外すことが出来る構造としている。
【００２３】
さらに、アームの基部にはシート押え片を設け、蓋ケースの底部に形成しているシート押え片とでチャプターシートを挟み込んで蓋ケースに取付できる。
【図面の簡単な説明】
【図１】本発明に係る円盤状記録媒体の収納ケースを示す実施例。
【図２】蓋ケースを閉じて、係合凸部が円盤状記録媒体の中央穴に嵌り、シート押え片にチャプターシートが挟まっている場合を示す断面図。
【図３】蓋ケースが内側へ撓み変形し、押え部に当っている場合の断面図。
【図４】上蓋を底部へ移動してレンタル用収納ケースに変更した場合。
【図５】アーム先端に押え部を備えた上蓋の具体例。
【図６】着脱可能な押え部を備えた上蓋の具体例。
【図７】押え部を外して上蓋を底部へ移動したレンタル用収納ケース。
【図８】従来の収納ケース。
【図９】従来の収納ケースの断面。
【図１０】従来の収納ケースの蓋ケースが変形して係合凸部に当っている場合の断面図。
【符号の説明】
１  本体ケース
２  蓋ケース
３  繋ぎ部
４  ベース面
５  縁
６  縁
７  ベース面
８  上蓋
９  アーム
１０  押え部
１１  シート押え片
１２  係合凸部
１３  円盤状記録媒体
１４  チャプターシート
【図１】
2005001715.tif 000003
【図２】
2005001715.tif 000004
【図３】
2005001715.tif 000005
【図４】
2005001715.tif 000006
【図５】
2005001715.tif 000007
【図６】
2005001715.tif 000008
【図７】
2005001715.tif 000009
【図８】
2005001715.tif 000010
【図９】
2005001715.tif 000011
【図１０】
2005001715.tif 000012